(57)【特許請求の範囲】
【請求項１】
その上端に口部が形成され、液体を収容する収容部を具備する、金属製の水筒本体と、
前記口部を閉塞する栓部材と、を備えた水筒であって、
前記水筒本体の外面に外面用ホーロー層を形成し、
前記収容部の内面に内面用ホーロー層を形成すると共に、
前記外面用ホーロー層の上から前記水筒本体を覆う透明樹脂製の本体用外装部材と、
前記栓部材を覆う透明樹脂製の栓部材用外装部材と、を備えることを特徴とする水筒。
【請求項２】
前記本体用外装部材と前記栓部材用外装部材とが当接するように構成され、
前記本体用外装部材の外側の側面と前記栓部材用外装部材の外側の側面とが面一に構成される請求項１の水筒。
【請求項３】
前記本体用外装部材が、前記水筒本体の底面を覆わない側面用外装部材と、前記水筒本体の底面を覆う底面用外装部材とからなり、
前記側面用外装部材と前記底面用外装部材とが連結部にて結合される請求項１または請求項２の水筒。
【請求項４】
前記連結部が、前記側面用外装部材に形成された第１ネジ部と、前記底面用外装部材に形成され前記第１ネジ部と螺合する第２ネジ部とで構成される請求項３の水筒。
【請求項５】
前記水筒本体が中空２層の金属からなる断熱構造を有する請求項１から請求項４の水筒。
【発明の詳細な説明】
【技術分野】
【０００１】  本発明は、その上端に口部が形成され、液体を収容する収容部を具備する金属製の水筒本体と、前記口部を閉塞する栓部材とを備えた水筒に関する。
【背景技術】
【０００２】  上記のような水筒として、ステンレス製のボトル（水筒）本体と、このボトル（水筒）本体の外面を覆う樹脂製の外装部材とを備えた水筒（ステンレスボトル）が知られている。（例えば、特許文献１参照）。
【先行技術文献】
【特許文献】
【０００３】
【特許文献１】特開特開２００５−１９２５９５号公報
【発明の概要】
【発明が解決しようとする課題】
【０００４】  特許文献１に記載された水筒（ステンレスボトル）においては、ボトル（水筒）本体が金属製であり、ボトル（水筒）本体に果汁など、金属と反応しやすい液体が収容された場合、ボトル（水筒）本体と収容された液体が化学反応し収容された液体の風味を損なってしまうおそれがあった。【０００５】  ちなみに、特許文献１に記載された水筒（ステンレスボトル）においては、ボトル（水筒）本体がステンレス製であり、ボトル（水筒）本体と収容された液体の化学反応は抑制されるものの、収容された液体が飲用の液体であっても、収容された液体の種類によっては、ボトル（水筒）本体と収容された液体の化学反応は避け難いものであり、その改善が望まれていた。【０００６】  これに対し、ボトル（水筒）本体をガラスにて構成すると、収容された液体が飲用の液体である場合には、収容された液体の種類によらず、水筒本体と収容された液体の化学反応が適切に抑制されるのであるが、ボトル（水筒）本体をガラスにて構成した場合、水筒を落下させた場合など、ボトル（水筒）本体に衝撃が印加されたときに、ボトル（水筒）本体が破損しやすいという不都合が生じる。【０００７】  また、特許文献１に記載された水筒（ステンレスボトル）のように、ボトル（水筒）本体の外面を樹脂製の外装部材で覆うものにおいては、樹脂製の外装部材に模様を付してある場合に、水筒（ステンレスボトル）の外面が他の物体と接触したときなど、樹脂製の外装部材に付した模様が磨耗しやすいものであった。【０００８】本発明は、かかる点に着目してなされたものであり、その目的は、収容された液体が飲用の液体である場合に、収容された液体の種類によらず、水筒本体と収容された液体の化学反応が適切に抑制され、水筒本体に衝撃が印加されたときにも水筒本体が破損し難く、しかも、水筒（ステンレスボトル）の外面が他の物体と接触したときなどにも、水筒の外面に付した模様が磨耗することが抑制された水筒を提供する点にある。
【課題を解決するための手段】
【０００９】  この目的を達成するために、その上端に口部が形成され、液体を収容する収容部を具備する、金属製の水筒本体と、前記口部を閉塞する栓部材と、を備えた水筒であって、請求項１に記載の水筒は、前記水筒本体の外面に外面用ホーロー層を形成し、前記収容部の内面に内面用ホーロー層を形成すると共に、前記外面用ホーロー層の上から前記水筒本体を覆う透明樹脂製の本体用外装部材と、前記栓部材を覆う透明樹脂製の栓部材用外装部材と、を備える点を特徴とする。【００１０】  このように構成することで、液体が収容される収容部の内面に内面用ホーロー層を形成するものであるので、収容された液体はガラスを主成分とするホーロー層と接触することになり、金属製の水筒本体と収容された液体の接触は抑制され、収容された液体が飲用の液体である場合には、収容された液体の種類によらず、水筒本体と収容された液体の化学反応が適切に抑制することができる。【００１１】  また、水筒本体そのものをガラスにて構成するのではなく、金属製の本体における液体を収容する収容部の内面に内面用ホーロー層を形成したものであるので、水筒本体に衝撃が印加されたときにも水筒本体が破損し難いものとすることができる。【００１２】  さらに、請求項１による水筒は、水筒本体の外面に外面用ホーロー層を形成し、この外面用ホーロー層の上から水筒本体を覆う透明樹脂製の本体用外装部材を備えるので、水筒が他の物体と接触したときなどにも、外面用ホーロー層によって水筒の外面に付した模様が磨耗することが抑制された水筒とすることができる。【００１３】  つまり、外面用ホーロー層によって模様を付しておき、この外面用ホーロー層の上から水筒本体を覆う透明樹脂製の本体用外装部材を備え、外面用ホーロー層によって水筒の外面に付した模様が磨耗することを抑制するのである。【００１４】  要するに、請求項１に記載の発明によって、収容された液体が飲用の液体である場合に、収容された液体の種類によらず、水筒本体と収容された液体の化学反応が適切に抑制され、水筒本体に衝撃が印加されたときにも水筒本体が破損し難く、しかも、水筒が他の物体と接触したときなどにも、水筒に付した模様が磨耗することが抑制された水筒とすることができるに至った。【００１５】  請求項２に記載の水筒は、請求項１に記載の特徴に加え、前記本体用外装部材と前記栓部材用外装部材とが当接するように構成され、前記本体用外装部材の外側の側面と前記栓部材用外装部材の外側の側面とが面一に構成される点を特徴とする。【００１６】  請求項２に記載の特徴によって、請求項１による効果に加え、外観が一層美麗な水筒とすることができる。【００１７】  請求項３に記載の水筒は、請求項１または請求項２に記載の特徴に加え、前記本体用外装部材が、前記水筒本体の底面を覆わない側面用外装部材と、前記水筒本体の底面を覆う底面用外装部材とからなり、前記側面用外装部材と前記底面用外装部材とが連結部にて結合される点を特徴とする。【００１８】  このように構成することによって、請求項１または請求項２による効果に加え、水筒を洗浄するときなどに、連結部にて結合された側面用外装部材と底面用外装部材とを分割することで、本体用外装部材を水筒���体から容易に取り外すことができる。【００１９】  要するに、請求項３に記載の特徴によって、請求項１または請求項２による効果に加え、本体用外装部材を水筒本体から容易に取り外すことができる。【００２０】  請求項４に記載の水筒は、請求項３に記載の特徴に加え、前記連結部が、前記側面用外装部材に形成された第１ネジ部と、前記底面用外装部材に形成され前記第１ネジ部と螺合する第２ネジ部とで構成される点を特徴とする。【００２１】  このように構成することによって、請求項３による効果に加え、連結部として固定具など別段の連結用部材を必要とせず、連結部を、側面用外装部材に形成された第１ネジ部と、底面用外装部材に形成され第１ネジ部と螺合する第２ネジ部とで簡単に構成できる。【００２２】  要するに、請求項４に記載の特徴によって、請求項３による効果に加え、連結部を、固定具など別段の連結用部材なしに簡単に構成できる。【００２３】  請求項５に記載の水筒は、請求項１から請求項４に記載の特徴に加え、前記水筒本体が中空２層の金属からなる断熱構造を有する点を特徴とする。【００２４】  このように構成することによって、請求項１から請求項４による効果に加え、水筒を断熱性のよい断熱容器とすることができる。
【発明の効果】
【００２５】  請求項１によれば、収容された液体が飲用の液体である場合に、収容された液体の種類によらず、水筒本体と収容された液体の化学反応が適切に抑制され、水筒本体に衝撃が印加されたときにも水筒本体が破損し難く、しかも、水筒が他の物体と接触したときなどにも、水筒に付した模様が磨耗することが抑制された水筒とすることができる。【００２６】  また、請求項２によれば、外観が一層美麗な水筒とすることができる。
請求項３によれば、本体用外装部材を水筒本体から容易に取り外すことができる。
請求項４によれば、連結部を、固定具など別段の連結用部材なしに簡単に構成できる。
請求項５によれば、水筒を断熱性のよい断熱容器とすることができる。
【図面の簡単な説明】
【００２７】
【図１】  本発明の第１実施形態の水筒を示す正断面図
【図２】  本発明の第１実施形態の水筒を示す分解斜視図
【図３】  本発明の第１実施形態の水筒を示す分解斜視図
【図４】  本発明の第２実施形態の水筒を示す正断面図
【発明を実施するための形態】
【００２８】  本発明による出納について、図面を参照しながら説明する。
第１実施形態の水筒Ａは、図１に示すように、その上端に口部１１が開口して形成され、液体Ｂ（図示せず）が収容される収容部１２を具備する金属製の水筒本体０１と、口部１１を閉塞する栓部材０２とを備える。なお、本実施形態では、水筒本体０１はホーロー用の鋼板をプレス加工して形成されているが、水筒本体０１はホーロー用の鋼板以外の金属により形成されてもよい。
【００２９】  また、水筒本体０１の外面１３には、外面用ホーロー層１４（図示せず）を形成してあり、外面用ホーロー層１４によって水筒本体０１の外面１３を着色し、模様を付してある。なお、外面用ホーロー層１４によって水筒本体０１の外面１３を着色するのみで、模様は付さないというように種々構成可能である。
【００３０】  また、収容部１２の内面１５には、内面用ホーロー層１６（図示せず）を形成してある。そして、外面用ホーロー層１４の上から水筒本体０１を覆う透明樹脂製の本体用外装部材１７と、栓部材０２を覆う透明樹脂製の栓部材用外装部材１８とを備える。なお、第１実施形態では、本体用外装部材１７及び栓部材用外装部材１８は、透明の樹脂の外面にシボ処理が施されており、本体用外装部材１７及び栓部材用外装部材１８の外面に多少の擦り傷がついたときにも、その擦り傷が目立ち難いように構成されるが、本体用外装部材１７及び栓部材用外装部材１８を構成する透明の樹脂の外面にシボ処理を施すことは任意であり、特に限定されない。
【００３１】  第１実施形態の水筒Ａは上述のように構成され、液体Ｂが収容される収容部１２の内面１５に内面用ホーロー層１６を形成するものであるので、収容された液体Ｂはガラスを主成分とする内面用ホーロー層１６と接触することになり、金属製の水筒本体０１と収容された液体Ｂとの接触は抑制され、収容された液体Ｂが飲用の液体である場合には、収容された液体Ｂの種類によらず、水筒本体０１と収容された液体Ｂの化学反応が適切に抑制することができる。なお、本書でいう液体Ｂが飲用の液体である場合とは、液体Ｂが飲用に適さない程度の過度の酸性ではなく、液体Ｂが飲用に適さない程度の過度のアルカリ性ではないということを含め、液体Ｂが飲用に適さない程度の過度の劇物ではないということである。
【００３２】  また、第１実施形態の水筒Ａは、水筒本体０１そのものをガラスにて構成するのではなく、金属製の水筒本体０１における液体を収容する収容部１２の内面１５に内面用ホーロー層１６を形成したものであるので、水筒本体０１に衝撃が印加されたときにも水筒本体０１が破損し難いものとすることができる。
【００３３】  さらに、第１実施形態の水筒Ａは、水筒本体０１の外面１３に外面用ホーロー層１４を形成し、この外面用ホーロー層１４の上から水筒本体０１を覆う透明樹脂製の本体用外装部材１７を備えるので、水筒Ａが他の物体と接触したときなどにも、外面用ホーロー層１４によって水筒の外面に模様が付された場合にも、この付した模様が磨耗することが抑制される。
【００３４】  このように、外面用ホーロー層に１４よって模様を付して水筒Ａの外観を美麗にすることができ、この外面用ホーロー層１４の上から水筒本体０１を覆う透明樹脂製の本体用外装部材１７を備えることで、外面用ホーロー層１４によって水筒本体０１の外面１３に付した模様が磨耗することを抑制するのである。
【００３５】  つまり、第１実施形態の水筒Ａは、収容された液体Ｂが飲用の液体である場合に、収容された液体Ｂの種類によらず、水筒本体０１と収容された液体Ｂの化学反応が適切に抑制され、水筒本体０１に衝撃が印加されたときにも水筒本体０１が破損し難く、しかも、水筒Ａが他の物体と接触したときなどにも、水筒Ａに付した模様が磨耗することが抑制されるに至った。
【００３６】  さらに、第１実施形態の水筒Ａでは、栓部材０２によって口部１１を閉塞したときに、図１に示すように、本体用外装部材１７と栓部材用外装部材１８とが当接部３９で当接するように構成されており、本体用外装部材１７の外側の側面３１と栓部材用外装部材１８の外側の側面３２とが面一に構成されている。このように、本体用外装部材１７の外側の側面３１と栓部材用外装部材１８の外側の側面３２とが面一に構成されているので、水筒Ａ外観を一層美麗にすることがでていきる。なお、栓部材０２によって口部１１を閉塞したときに、本体用外装部材１７と栓部材用外装部材１８とが当接するように構成しなくてもよく、また、本体用外装部材１７の外側の側面３１と栓部材用外装部材１８の外側の側面３２とが面一になるように構成しなくてもよい。
【００３７】  なお、第１実施形態の水筒Ａでは、図１に示すように、栓部材０２によって口部１１を閉塞する際、側面用外装部材１７ａに設けた本体用外装部材ネジ部３７と、栓部材０２に設けた栓部材ネジ部３６とが螺合して、栓部材０２によって口部１１をシールして閉塞するように構成される。そして、栓部材用外装部材１８を把持して、栓部材用外装部材１８を螺合時と逆に回転させることで栓部材０２が栓部材用外装部材１８と共に回転し、側面用外装部材１７ａに設けた本体用外装部材ネジ部３７と、栓部材０２に設けた栓部材ネジ部３６との螺合が解除されて、面用外装部材１７ａに覆われた栓部材０２が本体用外装部材１７から分離した図２の状態となる。ちなみに、本体用外装部材ネジ部３７は、本体用外装部材１７の内面に設けたものであるが、本体用外装部材１７が透明樹脂製であるので、図２に示すように、本体用外装部材ネジ部３７が本体用外装部材１７を通して視認できる。
【００３８】  また、第１実施形態の水筒Ａでは、図１に示すように、本体用外装部材１７が、水筒本体０１の底面１９を覆わない側面用外装部材１７ａと、水筒本体０１の底面１９を覆う底面用外装部材１７ｂとから構成され、側面用外装部材１７ａと底面用外装部材１７ｂとが連結部３３にて結合されている。
【００３９】  したがって、水筒Ａを洗浄するときなどに、図３に示すように、連結部３３にて結合された側面用外装部材１７ａと底面用外装部材１７ｂとを分割することで、本体用外装部材１７を水筒本体０１から容易に取り外すことができる。ちなみに、本体用外装部材ネジ部３７は、本体用外装部材１７の内面に設けたものであるが、本体用外装部材１７が透明樹脂製であるので、図３に示すように、本体用外装部材ネジ部３７が本体用外装部材１７を通して視認される。なお、本体用外装部材１７を、側面用外装部材１７ａと底面用外装部材１７ｂとに分割して構成しなくてもよい。
【００４０】  第１実施形態の水筒Ａでは、連結部３３が、側面用外装部材１７ａに形成された第１ネジ部３４と、底面用外装部材１７ｂに形成され第１ネジ部３４と螺合する第２ネジ部３５とで構成され、連結部３３として固定具など別段の連結用部材を必要とせず、連結部３３が、側面用外装部材１７ａに形成された第１ネジ部３４と、底面用外装部材１７ｂに形成され第１ネジ部３４と螺合する第２ネジ部３５とで構成されている。なお、連結部３３を、別途固定具などの連結用部材を用いて構成してもよい。
【００４１】  また、図示は省略するが、水筒本体０１を中空２層の金属からなる断熱構造を有するように構成してもよい。このように構成することによって、水筒Ａを断熱性のよい断熱容器とすることができる。
【００４２】  つぎに、  第２実施形態の水筒Ａについて説明する。なお、以下の第２実施形態の水筒Ａについての説明においては、第１実施形態の水筒Ａと同様の構成についてはその説明を省略し、第１実施形態の水筒Ａと異なる点のみを説明する。
【００４３】  上述の第１実施形態の水筒Ａでは、栓部材０２によって口部１１を閉塞する際、側面用外装部材１７ａに設けた本体用外装部材ネジ部３７と、栓部材０２に設けた栓部材ネジ部３６とが螺合して、栓部材０２によって口部１１をシールして閉塞するように構成されるが、この第２実施形態の水筒Ａでは、図４に示すように、栓部材０２によって口部１１を閉塞する際、水筒本体０１に設けた水筒本体ネジ部３８と、栓部材０２に設けた栓部材ネジ部３６とが螺合して、栓部材０２によって口部１１をシールして閉塞するように構成される。
【００４４】  したがって、第２実施形態の水筒Ａでは、栓部材０２によって口部１１をシールして閉塞された状態を維持して、底面用外装部材１７ｂを水筒本体０１から取り外すことができるので、液体Ｂを水筒本体０１に収容した状態で、底面用外装部材１７ｂを水筒本体０１から取り外したときにも、栓部材０２によって口部１１をシールして閉塞された状態を維持可能である。
【符号の説明】
【００４５】０１    水筒本体
１１    口部
１２    収容部
１３  外面
１４  外面用ホーロー層
１５  内面
１６  内面用ホーロー層
１７  本体用外装部材
１７ａ  側面用外装部材
１７ｂ  底面用外装部材
１８  栓部材用外装部材
１９  底面
０２    栓部材
３１  本体用外装部材の外側の側面
３２  栓部材用外装部材の外側の側面
３３  連結部
３４  第１ネジ部
３５  第２ネジ部
３６  栓部材ネジ部
３７  本体用外装部材ネジ部
３８  水筒本体ネジ部
３９  当接部
Ａ      水筒
Ｂ    液体
【図１】
0006380751.tif 000002
【図２】
0006380751.tif 000003
【図３】
0006380751.tif 000004
【図４】
0006380751.tif 000005